(57)【要約】      （修正有）【課題】ひび割れ、地震時によるひび割れを含めての改質、ひび割れ破片散乱対策を図ることができる、撓み性を有し柔軟な繊維製品入りコンクリートまたはアスファルトを提供する。【解決手段】コンクリートまたはアスファルトを基材１として、基材１内に、撓み性を有し柔軟な繊維製品の撚糸、帯紐、組紐、バンド、およびロープの少なくとも一つを網のごとくに組んだ材料からなる改質制御材２を配した。これにより、基材１の改質、ひび割れ破損対策を図り、ひび割れ破片散乱対策を図る。【選択図】図１
0003213819.tif 000002
【実用新案登録請求の範囲】
【請求項１】
コンクリート、および、アスファルトを基材として、基材内に、撓み性を有し柔軟な繊維製品の、撚糸、または、帯紐、および、組紐、バンド、並びに、ロープで編んだ網、および、繊維製品の、撚糸、または、帯紐、および、組紐、バンド、ならびに、ロープを網のごとくに組んだ材料（以後、撓み性を有し柔軟な繊維製品の、撚糸、または、帯紐、および、組紐、バンド、並びに、ロープで編んだ網、および、繊維製品の、撚糸、または、帯紐、および、組紐、バンド、ならびに、ロープを網のごとくに組んだ材料を総称して改質制御材と記す）を配し、いわゆる、撓み性を有し柔軟な繊維製品入りコンクリート、および、アスファルト。
【考案の詳細な説明】
【技術分野】
【０００１】  本考案は、繊維製網類を内部に配したコンクリート、および、アスファルトに関するものである。
【背景技術】
【０００２】  従来、道路を舗装しているアスファルト、または、コンクリートのひび割れか発生している。特に、地震によるひび割れの発生が問題である。また、トンネル内、上部のコンクリート張り材がはがれて落下し事故を起こしている。なお、コンクリート構築物、ビル、高架道路、高架線路、橋梁等において、コンクリート材がひび割れを生じ、破片落下を生じている。コンクリート内に鉄筋を配し、コンクリートの剛性を高めることに努め、コンクリートの撓み性についての配慮が少ない。
【考案の概要】
【考案が解決しようとする課題】
【０００３】  本考案は、前記、背景技術の問題に対応する。鉄筋入り基材が、高荷重を受けたとき、また、強震を受けたとき、また、比較的高温度変化を受けたとき、鉄筋と基材の物性の違い、いわゆる、伸び率の違い、熱膨張率の違いによる影響が思料される。場合によっては鉄筋と基材間の剥離が思料される。これに対し、コンクリート、および、アスファルト基材内に、撓み性を有し柔軟な繊維製品の基材改質制御材を配し、基材の変化に応じて伸縮、接合・絡み合いを図る。したがって、基材のひび割れに応じることを図る。また、ひび割れ破片の落下散乱を少なくすることを図る。なお、土壌をコンクリート、および、アスファルト基材に類似基材とみて、土壌に、改質制御材を配し、土壌崩壊等について、配慮を図る。したがって、地震対策の一環となることを図る。
【課題を解決するための手段】
【０００４】  コンクリート、および、アスファルトを基材として、基材内に、撓み性を有し柔軟な繊維製品の、撚糸、または、帯紐、および、組紐、バンド、並びに、ロープで編んだ網、および、繊維製品の、撚糸、または、帯紐、および、組紐、バンド、ならびに、ロープを網のごとくに組んだ材料（以後、撓み性を有し柔軟な繊維製品の、撚糸、または、帯紐、および、組紐、バンド、ならびに、ロープで編んだ網、および、繊維製品の、撚糸、または、帯紐、および、組紐、バンド、並びに、ロープを網のごとくに組んだ材料を総称して改質制御材と記す）を配し、基材の変化に応じ、基材と改質制御材の密着、接着を図り、これにより、コンクリート、および、アスファルト基材のひび割れ破損落下に対する対策を図る。したがって、地震対策を含む。基材と改質制御材との密着、接合をより良好にするため、アスファルトの改質制御材に、前もって、アスファルト系やタール系材混合液を含浸または付着させる。また、コンクリートの改質制御材には、前もって、セメントと接着材混合液を含浸、または、付着させておくことができる。改質制御材は、網状を良しとするほか、撚糸、帯紐、組紐、ロープをそのまま用いることができる。基材内に改質制御材を一層、または、多層、配することができる。また、改質制御材に金属線を挿入し改質制御材の強度を上げることが可能である。なお、改質制御材と鉄筋を併せて基材内に配することが可能である。なお、改質制御材として、使い古し漁網、その他の使い古し網、および、繊維製品の、撚糸、または、帯紐、および、組紐、バンド、並びに、ロープの使い古しを用いることが可能であり、結節網、無結節網ともどもに用いることができる。そのうえ、本改質制御材は、モルタル加工においてメタルラスと併用しモルタルの改質に役立つ。また、山肌コンクリート材吹き付けにおいて、本改質材を使用して吹き付け材の改質を図ることができる。
【考案の効果】
【０００５】  本考案による効果は多岐にわたる。その代表と考えられる事項を以下に記す。その１、大きくには、地震対策に関する。その２、アスファルト、コンクリート道路舗装、土面舗装に関する。その３、コンクリート製構築物、ビル、高架道路、効果線路、橋梁、トンネル、擁壁、塀、板等に関する。その４、土壌崩壊の対策へとすすめることができる。
【図面の簡単な説明】
【０００６】
【図１】基材の図である。
【図２】改質制御材の一例図である。
【考案を実施するための最良の形態】
【０００７】  平面のコンクリート、および、アスファルト基材の場合、下面に一層、基材を配し、その上に改質制御材を配し。その上に基材を配する。これを繰り返して製作する。竪壁においては、コンクリート壁形成パネル内に改質制御材を上部から吊るして配し、基材を流し入れて製作する。
【実施例】
【０００８】  以下、本件の実施の形態を図１から図２に示して説明する。図１の１は、基材。基材１の内部に改質制御材２を配する。このさい、改質制御材は基材の厚さに応じ多層配する。改質制御材の撚糸、帯紐、組紐、バンド、ロープは毛羽立ったものを用いることにより基材との結合を良好にする。なお、網状改質制御材の結節網においては結節部（結び目）を大きくして基材との結合をより良好にする。３の、撚糸、帯紐、組紐、バンド、ロープの単体改質制御材において、諸処に結び目を作り基材との結合を良好にする。
【産業上の利用可能性】
【０００９】  本考案による効果は多岐にわたる。その１、大きくには、地震対策に関する。２、アスファルト、コンクリート道路舗装、土面舗装に関する。その３、コンクリート製構築物、ビル、高架道路、効果線路、橋梁、トンネル、擁壁、塀、板等に関する。その４、土壌崩壊の対策へとすすめることができる。
【符号の説明】
【００１０】１  基材、
２  網状改質制御材
３  撚糸、帯紐、組紐、ロープ単体改質制御材
【図１】
0003213819.tif 000003
【図２】
0003213819.tif 000004
【手続補正書】
【提出日】平成29年9月15日(2017.9.15)
【手続補正１】
【補正対象書類名】実用新案登録請求の範囲
【補正対象項目名】全文
【補正方法】変更
【補正の内容】
【実用新案登録請求の範囲】
【請求項１】
コンクリートまたはアスファルトを基材として、基材内に、撓み性を有し柔軟な繊維製品の撚糸、帯紐、組紐、バンド、およびロープの少なくとも一つを網のごとくに組んだ材料からなる改質制御材を配した、撓み性を有し柔軟な繊維製品入りコンクリートまたはアスファルト、